【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
１つ以上のプロセッサにより、移動局が初めに第１の種類の無線アクセスネットワークに属するときに、前記移動局を第２の種類の無線アクセスネットワークに事前登録するステップと、
前記第２の種類の無線アクセスネットワークで使用される所定の緊急呼のセッションに関する情報を格納するステップと、
前記１つ以上のプロセッサにより、前記移動局が前記第１の種類の無線アクセスネットワークに属する間に、前記移動局がパケット交換の緊急呼に関与していることを検出するステップと、
前記１つ以上のプロセッサにより、前記第１の種類の無線アクセスネットワークから前記第２の種類の無線アクセスネットワークへの前記移動局の移行を検出するステップと、
前記移動局の移行の検出に応じて、前記１つ以上のプロセッサが、前記第１の種類の無線アクセスネットワークから前記第２の種類の無線アクセスネットワークへの前記移動局の移行を示すメッセージを送信し、前記第２の種類の無線アクセスネットワークとの前記パケット交換の緊急呼のコンテキストのネゴシエーションを行う必要を回避するために前記所定の緊急呼のセッションの情報を使用して、前記パケット交換の緊急呼を前記第２の種類の無線アクセスネットワークで実行させるようにするステップと、
を有し、
前記第１の種類の無線アクセスネットワークは、EUTRA（Evolved  Universal  Terrestrial  Radio  Access）ネットワークであり、前記第２の種類の無線アクセスネットワークは、HRPD（High  Rate  Packet  Data）アクセスネットワークである方法。
【請求項２】
前記移動局を事前登録するステップは、前記移動局と前記第２の種類の無線アクセスネットワークとの間にセッションを確立することを含む、請求項１に記載の方法。
【請求項３】
前記第１の種類の無線アクセスネットワークから前記第２の種類の無線アクセスネットワークに移行した後に、前記移動局は前記第２の種類の無線アクセスネットワークに既に事前登録されているため、前記移動局は、前記パケット交換の緊急呼を実行するために前記第２の種類の無線アクセスネットワークとの登録手順を実行する必要がない、請求項１に記載の方法。
【請求項４】
前記移行の一部として、前記第２の種類の無線アクセスネットワークに送信される１つ以上のメッセージに緊急の指示を含めるステップを更に有する、請求項１に記載の方法。
【請求項５】
移動局が初めにソース無線アクセスネットワークに属するときに、前記移動局をターゲット無線アクセスネットワークに事前登録し、
前記ターゲット無線アクセスネットワークで使用される所定の緊急呼のセッションに関する情報を格納し、
前記ソース無線アクセスネットワークから前記ターゲット無線アクセスネットワークへの前記移動局の移行を可能にするメッセージを通信し、
前記ターゲット無線アクセスネットワークとのパケット交換の緊急呼のコンテキストのネゴシエーションを行う必要を回避するために前記所定の緊急呼のセッションの情報を使用して、前記ターゲット無線アクセスネットワークで前記パケット交換の緊急呼を確立する
ように構成された１つ以上のプロセッサを有し、
前記ソース無線アクセスネットワークは、EUTRA（Evolved  Universal  Terrestrial  Radio  Access）ネットワークであり、前記ターゲット無線アクセスネットワークは、HRPD（High  Rate  Packet  Data）アクセスネットワークである通信ノード。
【請求項６】
前記格納された情報は、所定の緊急呼のセッションに関する、請求項５に記載の通信ノード。
【請求項７】
前記メッセージは、前記移動局と前記ソース無線アクセスネットワークとの間のリンクを通じてトンネリングされた前記ターゲット無線アクセスネットワークの標準に従ったメッセージを有する、請求項５に記載の通信ノード。
【請求項８】
移動局が初めに第１の種類の無線アクセスネットワークに属するときに、第２の種類の無線アクセスネットワークとのセッションを事前登録し、
前記第２の種類の無線アクセスネットワークで使用される所定の緊急呼のセッションに関する情報を格納し、
前記移動局が前記第１の種類の無線アクセスネットワークに属する間に、前記移動局がパケット交換の緊急呼に関与していることを検出し、
前記第１の種類の無線アクセスネットワークから前記第２の種類の無線アクセスネットワークへの前記移動局の移行を検出し、
前記移動局の移行の検出に応じて、前記第１の種類の無線アクセスネットワークから前記第２の種類の無線アクセスネットワークへの前記移動局の移行を示すメッセージを送信し、前記第２の種類の無線アクセスネットワークとの前記パケット交換の緊急呼のコンテキストのネゴシエーションを行う必要を回避するために前記所定の緊急呼のセッションに関する前記格納された情報を使用して、前記パケット交換の緊急呼を前記第２の種類の無線アクセスネットワークで実行させるように、１つ以上のプロセッサにより実行可能な命令を格納した１つ以上のコンピュータ読取可能記憶媒体であり、
前記第１の種類の無線アクセスネットワークは、EUTRA（Evolved  Universal  Terrestrial  Radio  Access）ネットワークであり、前記第２の種類の無線アクセスネットワークは、HRPD（High  Rate  Packet  Data）アクセスネットワークであるコンピュータ読取可能記憶媒体。
【請求項９】
１つ以上のプロセッサに対して、
移動局が初めに第１の種類の無線アクセスネットワークに属するときに、第２の種類の無線アクセスネットワークとのセッションを事前登録させ、
前記第２の種類の無線アクセスネットワークで使用される所定の緊急呼のセッションに関する情報を格納させ、
前記移動局が前記第１の種類の無線アクセスネットワークに属する間に、前記移動局がパケット交換の緊急呼に関与していることを検出させ、
前記第１の種類の無線アクセスネットワークから前記第２の種類の無線アクセスネットワークへの前記移動局の移行を検出させ、
前記移動局の移行の検出に応じて、前記第１の種類の無線アクセスネットワークから前記第２の種類の無線アクセスネットワークへの前記移動局の移行を示すメッセージを送信させ、前記第２の種類の無線アクセスネットワークとの前記パケット交換の緊急呼のコンテキストのネゴシエーションを行う必要を回避するために前記所定の緊急呼のセッションに関する前記格納された情報を使用して、前記パケット交換の緊急呼を前記第２の種類の無線アクセスネットワークで実行させるプログラムであり、
前記第１の種類の無線アクセスネットワークは、EUTRA（Evolved  Universal  Terrestrial  Radio  Access）ネットワークであり、前記第２の種類の無線アクセスネットワークは、HRPD（High  Rate  Packet  Data）アクセスネットワークであるプログラム。
【請求項１０】
前記メッセージを送信するステップは、前記移動局と前記第１の種類の無線アクセスネットワークとの間のリンクを通じてトンネリングされた前記第２の種類の無線アクセスネットワークの標準に従ってメッセージを送信することを有する、請求項１に記載の方法。
【請求項１１】
前記検出するステップは、前記移動局により行われた無線チャネル状態の測定に基づく、請求項１に記載の方法。
【請求項１２】
前記移動局は、前記無線チャネル状態の前記測定を前記第１の種類の無線アクセスネットワークに送信する、請求項１１に記載の方法。
【請求項１３】
前記緊急の指示は、前記第１の種類の無線アクセスネットワークにより、前記第２の種類の無線アクセスネットワークに転送されるメッセージに追加される、請求項４に記載の方法。